(57)【要約】【課題】ヘッドの剛性を向上するとともにヘッドの質量分布の調整可能範囲をも拡張することが可能となるゴルフクラブヘッドおよび該ヘッドを備えたゴルフクラブを提供する。【解決手段】ゴルフクラブヘッド２は、外殻構造のヘッド本体と、ヘッド本体の一部を構成するフェース部と、ヘッド本体の一部を構成するクラウン部５と、ヘッド本体の一部を構成し、クラウン部５と対向するソール部７と、ヘッド本体の一部を構成し、クラウン部５とソール部７とを接続するサイド部６と、クラウン部５、ソール部７およびサイド部６において互いに離隔した少なくとも２つの部分を接続するようにヘッド本体の内部に設けられた柱状部１１とを備える。【選択図】図２
2007267777.tif 000002
【特許請求の範囲】
【請求項１】
外殻構造のヘッド本体と、
前記ヘッド本体の一部を構成するフェース部（８）と、
前記ヘッド本体の一部を構成するクラウン部（５）と、
前記ヘッド本体の一部を構成し、前記クラウン部（５）と対向するソール部（７）と、
前記ヘッド本体の一部を構成し、前記クラウン部（５）と前記ソール部（７）とを接続するサイド部（６）と、
前記クラウン部（５）、前記ソール部（７）および前記サイド部（６）において互いに離隔した少なくとも２つの部分を接続するように前記ヘッド本体の内部に設けられた柱状部（１１）と、
を備えた、ゴルフクラブヘッド。
【請求項２】
前記柱状部（１１）に錘部材（１２，１４）を装着した、請求項１に記載のゴルフクラブヘッド。
【請求項３】
前記柱状部（１１）は、前記ソール部（７）と前記サイド部（６）との少なくとも一方と接続され、
前記ソール部（７）と前記サイド部（６）との少なくとも一方と、前記柱状部（１１）との接続部に、前記ソール部（７）と前記サイド部（６）との少なくとも一方の表面に開口する開口部（１０，１７，１８）を設け、
前記開口部（１０，１７，１８）に前記錘部材（１２）を装着するようにした、請求項２に記載のゴルフクラブヘッド。
【請求項４】
前記柱状部（１１）は、前記錘部材（１４）の位置を調整可能な位置調整機構を有する、請求項２または請求項３に記載のゴルフクラブヘッド。
【請求項５】
前記柱状部（１１）は分岐部を有する、請求項１から請求項４のいずれかに記載のゴルフクラブヘッド。
【請求項６】
前記柱状部（１１）は中空構造を有し、
前記柱状部（１１）の内部に前記錘部材（１２，１４）を装着するようにした、請求項２から請求項５のいずれかに記載のゴルフクラブヘッド。
【請求項７】
前記柱状部（１１）は、前記ヘッド本体と一体成形される、請求項１から請求項６のいずれかに記載のゴルフクラブヘッド。
【請求項８】
前記柱状部（１１）は、前記ヘッド本体に設けられた１組の固定部（１９ａ，１９ｂ）と、前記固定部（１９ａ，１９ｂ）間を接続し前記ヘッド本体よりも低比重の材料で構成される接続部材とを含む、請求項１から請求項６のいずれかに記載のゴルフクラブヘッド。
【請求項９】
前記ヘッド本体は、前記フェース部（８）と前記クラウン部（５）の少なくとも一方に開口部を有するヘッド本体基部と、前記ヘッド本体基部の開口部を閉じるように前記ヘッド本体基部に装着された部材（２９，３０）とを含む、請求項１から請求項８のいずれかに記載のゴルフクラブヘッド。
【請求項１０】
前記柱状部（１１）の外周面と前記ヘッド本体との間に空間部を残すようにした、請求項１から請求項９のいずれかに記載のゴルフクラブヘッド。
【請求項１１】
請求項１から請求項１０のいずれかに記載のゴルフクラブヘッドを備えた、ゴルフクラブ。
【発明の詳細な説明】
【技術分野】
【０００１】
本発明は、ゴルフクラブヘッドおよびゴルフクラブに関し、特にヘッド本体内部に柱状部を備えたゴルフクラブヘッドおよび該ヘッドを備えたゴルフクラブに関する。
【背景技術】
【０００２】
ゴルフクラブのヘッド本体は、たとえば鋳造等により作製可能である。このヘッド本体の質量分布を調整して最適なものとするために、従来からヘッド本体に錘部材を固着する等の手法が提案されている。
【０００３】
たとえば特開２００４−８１２４１号公報には、ヘッド本体に設けた凹部に錘部材を固着し、錘部材は、凹部に固着されかつ内部に中空の収容空間を有する箱状部と、収容空間に収容されかつヘッド本体とは異なる比重を有した重量調整材とからなることを特徴とするゴルフクラブヘッドが記載されている。
【０００４】
また、特開２００５−３０５１６９号公報には、ヘッド本体に設けた凹部に着脱可能に取付けられた重りを備えたゴルフクラブヘッドが記載され、特表２００５−５１５０４６号公報には、重心の鉛直方向位置が異なるウッドゴルフクラブのセットが記載されている。
【特許文献１】特開２００４−８１２４１号公報
【特許文献２】特開２００５−３０５１６９号公報
【特許文献３】特表２００５−５１５０４６号公報
【発明の開示】
【発明が解決しようとする課題】
【０００５】
上記の各文献記載のゴルフクラブヘッドでは、ヘッド本体の外殻に錘部材を取り付けるようにしているので、錘部材の取付け可能範囲には限界がある。そのため、重心位置の調整可能範囲、つまりヘッドの質量分布の調整可能範囲にも限界が生じる。
【０００６】
また、ヘッド体積が４００ｍｌ以上の大型のゴルフクラブヘッドでは、一般にヘッド本体が薄肉となるため、ヘッドの剛性は低下する傾向にあるといえる。このような薄肉のヘッド本体の外殻に重りを取り付けると、打球時にヘッドの変形が助長され、打球音や打感に悪影響を及ぼすことも懸念される。
【０００７】
そこで、本発明は、ヘッドの剛性を向上するとともにヘッドの質量分布の調整可能範囲を拡張することが可能となるゴルフクラブヘッドおよび該ヘッドを備えたゴルフクラブを提供することを目的とする。
【課題を解決するための手段】
【０００８】
本発明に係るゴルフクラブヘッドは、外殻構造のヘッド本体と、ヘッド本体の一部を構成するフェース部と、ヘッド本体の一部を構成するクラウン部と、ヘッド本体の一部を構成し、クラウン部と対向するソール部と、ヘッド本体の一部を構成し、クラウン部とソール部とを接続するサイド部と、クラウン部、ソール部およびサイド部において互いに離隔した少なくとも２つの部分を接続するようにヘッド本体の内部に設けられた柱状部とを備える。
【０００９】
上記柱状部には錘部材を装着してもよい。また、上記柱状部は、ソール部とサイド部との少なくとも一方と接続されるものであってもよい。この場合、ソール部とサイド部との少なくとも一方と、柱状部との接続部に、ソール部とサイド部との少なくとも一方の表面に開口する開口部を設け、この開口部に錘部材を装着するようにしてもよい。また、上記柱状部は、錘部材の位置を調整可能な位置調整機構を有するものであってもよい。
【００１０】
上記柱状部は分岐部を有するものであってもよい。また、上記柱状部は中空構造を有するものであってもよい。この場合、柱状部の内部に錘部材を装着すればよい。さらに、上記柱状部は、ヘッド本体と一体成形してもよい。柱状部は、ヘッド本体に設けられた１組の固定部と、この固定部間を接続しヘッド本体よりも低比重の材料で構成される接続部材とを含むものであってもよい。
【００１１】
上記ヘッド本体は、フェース部とクラウン部の少なくとも一方に開口部を有するヘッド本体基部と、該ヘッド本体基部の開口部を閉じるようにヘッド本体基部に装着された部材とを含むものであってもよい。また、上記柱状部の外周面とヘッド本体との間に空間部を残すようにしてもよい。
【００１２】
本発明に係るゴルフクラブは、上記のようなゴルフクラブヘッドを備える。
【発明の効果】
【００１３】
本発明のゴルフクラブヘッドは、クラウン部、ソール部およびサイド部において互いに離隔した少なくとも２つの部分を接続する柱状部を備えるので、ヘッド本体を補強することができ、ヘッド本体の剛性を向上することができる。また、上記のような柱状部を設けることで、ヘッド本体の外殻から離れた位置にも必要な量の質量を容易に配置することができる。それにより、ヘッドの質量分布の調整可能範囲をも拡張することができる。その結果、ヘッドの剛性を向上するとともに、ヘッドの質量分布の調整可能範囲をも拡張することが可能となる。
【発明を実施するための最良の形態】
【００１４】
以下、本発明の実施の形態におけるゴルフクラブヘッドおよび該ゴルフクラブヘッドを備えたゴルフクラブについて説明する。
【００１５】
本実施の形態におけるゴルフクラブは、後述するゴルフクラブヘッドと、シャフトと、グリップとを備える。なお、シャフトおよびグリップとしては周知のものを採用可能である。本発明は、ウッドゴルフクラブに有用であるが、アイアンゴルフクラブに適用することも可能である。
【００１６】
本実施の形態におけるゴルフクラブヘッドは、外殻構造のヘッド本体と、ヘッド本体の一部を構成するフェース部と、ヘッド本体の一部を構成するクラウン部と、ヘッド本体の一部を構成し、クラウン部と対向するソール部と、ヘッド本体の一部を構成し、クラウン部とソール部とを接続するサイド部と、クラウン部、ソール部およびサイド部において互いに離隔した少なくとも２つの部分を接続するようにヘッド本体の内部に設けられた柱状部とを備える。このヘッドの体積は、たとえば３５０ｍｌ以上（好ましくは、４００ｍｌ以上）である。
【００１７】
ヘッド本体は、典型的には金属製であるが、金属部材と非金属部材を組み合せてヘッド本体を作製することも可能である。このヘッド本体は、典型的には、該ヘッド本体の骨格といえるベース部分を形成し、開口部を有するヘッド本体基部と、該ヘッド本体基部に装着される各種パーツ（部材）とを含む。ヘッド本体基部は金属製であり、たとえば鋳造等により成形可能である。このヘッド本体基部と、単数または複数の金属製パーツや、単数または複数の非金属製パーツを組み合せてヘッド本体を作製することができる。
【００１８】
ヘッド本体基部の形態例としては、たとえばフェース部の中央部に開口部を有し、フェース部の周縁部と、クラウン部と、サイド部と、ソール部とが一体成形されたものや、クラウン部の中央部に開口部を有し、クラウン部の周縁部と、フェース部と、サイド部と、ソール部とが一体成形されたものや、フェース部とクラウン部の中央部に開口部を有し、フェース部およびクラウン部の周縁部と、サイド部と、ソール部とが一体成形されたもの等が考えられる。なお、サイド部やソール部に単数または複数の開口部を設けることも考えられる。
【００１９】
上記ヘッド本体基部の材質としては、たとえば鋳造成形が可能となる材料であるチタン合金（たとえばαβチタン合金：Ｔｉ−６Ａｌ−４Ｖ等）を挙げることができる。他方、ヘッド本体基部の開口部を閉じるように装着される金属製パーツとしては、チタン合金やマグネシウム合金の板材等を挙げることができる。ヘッド本体基部の開口部を閉じるように装着される非金属製パーツとしては、ＦＲＰ（Fiber Reinforced Plastics）の板材等を挙げることができる。
【００２０】
フェース部の中央部に開口部を設ける場合には、当該開口部にはαβチタン合金やβ系チタン合金（Ｔｉ−２２Ｖ−４Ａｌ，Ｔｉ−１５Ｍｏ−５Ｚｒ−４Ｖ−４Ａｌ等）からなるフェース部材（フェースパーツ）を溶接等によりヘッド本体基部に接合することが考えられる。このフェース部材は、鍛造により作製することが好ましい。鍛造の方法を変更したり、部材の種類を使い分けることにより、反発係数を制御することができる。クラウン部に開口部を設ける場合には、ヘッド本体基部よりも低比重の材料からなるクラウン部材（クラウンパーツ）をヘッド本体基部に装着することが考えられる。この場合には、ヘッドの低重心化を図ることができる。なお、ヘッド本体基部と同様の材料からなる板材をクラウン部材として使用してもよい。
【００２１】
上記柱状部は、柱状の部分であってヘッド本体の剛性を向上できるものであればよく、柱状部の形状は任意に選択可能である。典型的には、柱状部の形状を管状や円柱状（横断面形状が環状や円形）とすることが考えられるが、三角柱や四角柱等の多角柱形状（横断面形状が多角形）としてもよい。また、柱状部の長さ方向（軸方向）に柱状部の幅（径）を変化させることも可能である。たとえば、クラウン部からソール部に向かって柱状部を設けた場合、クラウン部側の幅をソール部側の幅より狭くすることが考えられる。それにより、クラウン部側よりもソール部側に多くの質量を配置することができ、ヘッドの低重心化を図ることができる。さらに、柱状部の長さ方向に、柱状部の幅を複数の段階に変化させてもよい。
【００２２】
柱状部は、中空構造であってもよいが、中実構造であってもよい。柱状部を中空構造とする場合、柱状部の厚みは、任意に設定可能であるが、たとえば０．８ｍｍ〜１ｍｍ程度とすることが考えられる。この柱状部の厚みを変化させてもよい。たとえば柱状部の長さ方向と外周方向の少なくとも１つの方向に厚みを変化させることが考えられる。
【００２３】
また、柱状部の一部を切欠く等して柱状部の内部空間を柱状部の周囲の空間と連通させるようにしてもよい。具体的には、柱状部を、板状部材を屈曲あるいは湾曲させたような形状（たとえば横断面形状がＶ字状、Ｕ字状、Ｃ字状等）とすることも考えられる。
【００２４】
さらに、柱状部は、クラウン部、ソール部およびサイド部において互いに離隔した少なくとも２つの部分を接続するものであれば、直線状であっても、湾曲状であっても、屈曲状であってもよい。
【００２５】
また、ヘッド本体において隣り合う位置関係にある部分同士を上記柱状部で接続してもよく、ヘッド本体において互いに対向する位置関係にある部分同士を柱状部で接続してもよい。たとえば、クラウン部とソール部とを接続するように柱状部を設けてもよく、クラウン部とサイド部とを接続するように柱状部を設けてもよい。また、サイド部とソール部とを接続するように柱状部を設けてもよい。さらに、クラウン部、ソール部およびサイド部を接続するように柱状部を設けてもよい。ただし、柱状部は、打球時のフェース部の変形を阻害しないようにフェース部からは離隔して設けることが好ましい。
【００２６】
上記柱状部の外周面は、フェース部以外のヘッド本体の外殻と接触させてもよいが、フェース部以外のヘッド本体の外殻からも離隔させ、当該ヘッド本体の外殻と、柱状部の外周面との間に空間部を残すようにすることが好ましい。
【００２７】
柱状部の延在方向としては任意の方向を選択可能であるが、たとえばフェース部から離れる方向に延在させたり、フェース部に沿う方向に延在させることが考えられる。ここで「柱状部がフェース部から離れる方向に延在する」とは、本願明細書では、柱状部の延在方向（柱状部の長さ方向：軸方向）がフェース面に対し垂直な方向の成分を有するという意味であり、「フェース部に沿う方向に延在する」とは、本願明細書では、柱状部の延在方向（柱状部の長さ方向：軸方向）がフェース面に対し平行な方向の成分を有するという意味である。
【００２８】
柱状部は、ヘッド本体基部と同一の材料で形成してもよいが、ヘッド本体基部と異なる材料を含むものであってもよい。また、単一の材料やパーツで形成してもよく、複数の材料やパーツで形成してもよい。
【００２９】
柱状部をヘッド本体基部と同一の材料で形成する場合、たとえば鋳造により柱状部をヘッド本体基部と一体成形することが考えられる。柱状部をヘッド本体基部と一体成形するには、たとえばヘッド本体基部の成形用金型内に、複数のパーツを組み合せて構成される中子を配置し、上記成形用金型でヘッド本体基部の外形を成形するとともに、当該中子によりヘッド本体基部の内部で柱状部を成形すればよい。そして、ヘッド本体基部および柱状部の成形後に、フェース開口部等のヘッド本体基部に設けた開口部を通してヘッド本体基部の内部から中子を取り出す。それにより、ヘッド本体基部と柱状部とを一体成形することができる。
【００３０】
なお、複数の柱状部をヘッド本体基部と一体成形する場合も、中子の構造を適切に選択することで、ヘッド本体基部と柱状部とを一体成形することができる。また、上記の中子をヘッド本体基部の内部から容易に取り出すことができるように、ヘッド本体基部に設ける開口部の大きさを適切に調整することが好ましい。
【００３１】
他方、ヘッド本体の内部に１組の固定部を設け、この固定部間を接続するように管状部材や柱状部材や板状部材等の接続部材を固着することで柱状部を形成してもよい。この場合には、ヘッド本体基部と異なる材料を用いて柱状部を形成することができる。
【００３２】
上記固定部は、鋳造等によりヘッド本体基部と一体成形してもよいが、ヘッド本体基部に別パーツを取り付けることで固定部を設けてもよい。該固定部は、たとえばヘッド本体基部の内表面からヘッド本体基部の内方に立ち上がる筒状部で構成することができるが、接続部材を固着できるものであれば任意の構造の固定部を採用することができる。この固定部内に位置するヘッド本体基部の外殻に貫通孔を設け、該貫通孔を介してヘッド本体基部の内部空間とヘッド本体基部の周囲の空間とを連通させることが好ましい。それにより、上記貫通孔を通して接続部材をヘッド本体基部の内部に容易に挿入することができ、接続部材を容易に固定部に固着することができる。
【００３３】
上記接続部材は、ヘッド本体基部よりも低比重の材料で構成することができる。たとえば、アルミニウム合金等の金属製の部材や、ＦＲＰ等の非金属製の部材を用いることが考えられる。非金属製の部材としては、ＣＦＲＰ（Carbon Fiber Reinforced Plastic）、ＧＦＲＰ（Glass Fiber Reinforced Plastic）、ガラス繊維入りポリアミド樹脂、炭素繊維入りポリアミド樹脂、ポリカーボネート樹脂等の樹脂材料を挙げることができる。なお、接続部材としてＣＦＲＰを使用する場合、所定以上の強度を確保するために、接続部材の厚みを１ｍｍ以上とすることが好ましい。
【００３４】
上記のように低比重の接続部材を用いることで、ヘッドの質量増大を抑制しながらヘッドの剛性を向上することができる。接続部材としてＦＲＰ等の非金属製の部材を用いる場合、接着剤等を用いて接続部材を固定部に固定すればよい。なお、複数組の固定部を設け、それぞれの固定部の組に接続部材を取り付けることで複数の柱状部を設けてもよい。
【００３５】
上記のような柱状部をヘッド本体の内部に設けることにより、ヘッド本体を補強することができ、ヘッド本体の剛性を向上することができる。それにより、打球音のみならず打感の改善も期待できる。
【００３６】
また、上記のような柱状部を設けることで、従来のヘッドでは質量を配置することが困難であったヘッド本体の外殻から離れた位置に、必要な量の質量を容易に配置することができる。それにより、ヘッドの質量分布の調整可能範囲を拡張することが可能となる。ここで、柱状部の幅（径）や厚みを変化させる等することにより、ヘッドの質量分布の微調整も可能となる。
【００３７】
以上のように、本実施の形態のゴルフクラブヘッドによれば、ヘッドの剛性を向上して打球音のみならず打感の改善も期待でき、さらにはヘッドの質量分布の調整可能範囲を拡張することも可能となる。
【００３８】
柱状部の数は、単数であっても複数であってもよいが、複数の柱状部を設ける場合、各々の柱状部が互いに干渉しないように間隔をあけて柱状部を設けることが好ましい。また、複数の柱状部を設ける場合、各柱状部は、同じ方向に延在するように設けてもよいが、異なる方向に延在するように設けてもよい。
【００３９】
柱状部は、分岐部を有するものであってもよい。たとえばＴ形の柱状部を形成することが考えられる。分岐部の数は単数でも複数でもよく、分岐部の形状も任意に選択可能である。複数の分岐部を設ける場合、各分岐部の延在方向は同一方向であってもよく、異なる方向であってもよい。
【００４０】
また、柱状部に錘部材を装着するようにしてもよい。錘部材の材料としては、典型的には、ヘッド本体よりも高比重の材料（あるいは１０ｇ／ｃｍ３以上程度の材料）を採用すればよい。たとえば、ヘッド本体がチタン合金である場合、錘部材としてタングステン合金を採用することが考えられる。
【００４１】
錘部材の形状としては任意の形状を採用可能である。錘部材は、柱状部の外表面上に取り付けてもよいが、柱状部の内部に装着してもよい。柱状部に錘部材を装着する手法としては、任意の手法を採用できるが、たとえば柱状部と錘部材の表面にそれぞれネジを設けて柱状部に錘部材を螺着する手法や、柱状部に錘部材を接着する手法や、固定具を介して柱状部に錘部材を固定する手法等を挙げることができる。
【００４２】
錘部材の数は、単数であっても複数であってもよく、任意に選択可能である。複数の錘部材を柱状部に装着する場合、同じ質量の錘部材を柱状部に装着してもよく、異なる質量の錘部材を柱状部に装着してもよい。錘部材の装着位置も任意に設定可能である。複数の柱状部を設けた場合、全ての柱状部に単数または複数の錘部材を装着してもよいが、一部の柱状部にのみ選択的に単数または複数の錘部材を装着してもよい。
【００４３】
上記柱状部が、ソール部とサイド部との少なくとも一方と接続される場合、ソール部とサイド部との少なくとも一方と、柱状部との接続部に、ソール部とサイド部との少なくとも一方の表面に開口する開口部を設けてもよい。該開口部の数は、単数でも複数でもよいが、開口部は、典型的には、ソール部および／またはサイド部に凹状に設けられる。
【００４４】
上記の開口部に錘部材を装着するようにしてもよい。それにより、開口部を錘部材で閉じることができ、ゴルフクラブヘッドの重心位置を制御しなから外観をも向上することができる。上記開口部への錘部材の装着手法としては、たとえば、錘部材の外周面と上記開口部の内周面とにネジを形成して錘部材を上記開口部へ螺着する手法や、錘部材を上記開口部に圧入する手法や、錘部材を上記開口部に接着する手法等を挙げることができる。錘部材を上記開口部へ螺着する場合、錘部材としてビスを使用すればよい。
【００４５】
また、上記柱状部は、錘部材の位置を調整可能な位置調整機構を有するものであってもよい。それにより、ヘッドの質量分布の調整可能範囲をさらに拡張することができる。上記位置調整機構の一例としては、たとえば柱状部に設けた凹部または孔を挙げることができる。この場合、進退可能な係合部を錘部材に設け、この係合部を柱状部に設けた上記凹部または孔内に挿入して柱状部と係合させることで、錘部材を柱状部の所定位置に保持することが考えられる。なお、錘部材側に凹部や孔を設け、柱状部側に進退可能な係合部を設けてもよい。
【００４６】
柱状部が中空構造を有する場合、柱状部の内部に錘部材を装着すればよい。この場合、柱状部の内周面と錘部材の外周面とにそれぞれネジを形成し、柱状部の内部に錘部材を螺着すればよい。また、接着剤を用いて柱状部の内部に錘部材を接着することも考えられる。
【００４７】
非金属製の接続部材を用いて柱状部を設ける場合、この接続部材と錘部材とを一体成形してもよい。たとえば接続部材としてＣＦＲＰやＧＦＲＰ等の樹脂材料を使用する場合、インサート成形等を用いて接続部材と錘部材とを一体成形することができる。他方、この非金属製の接続部材に上述のような位置調整機構を設け、錘部材の位置を調整できるようにすることも可能である。
【００４８】
接続部材としてＦＲＰのような低比重の材料を使用した場合には、接続部材と錘部材との質量差が大きくなるので、ヘッドの質量分布を大きく変化させることができる。ここで柱状部に錘部材の位置調整機構を設ける等して錘部材の位置を調整可能とすることで、ヘッドの質量分布の調整可能範囲をさらに拡張することができる。また、接続部材への錘部材の取付位置を固定した場合でも、ヘッド本体基部内への接続部材の挿入方向を変える等することで、ヘッド本体内における錘部材の位置を容易に変化させることができる。この場合にも、ヘッドの質量分布を大きく変化させることができる。
【実施例】
【００４９】
以下、本発明の実施例について図１〜図３４を用いて説明する。
（実施例１）
図１〜図４に本発明の実施例１におけるゴルフクラブ１およびゴルフクラブヘッド２を示す。図１に示すように、本実施例１におけるゴルフクラブ１は、ゴルフクラブヘッド２と、シャフト３と、グリップ４とを備える。シャフト３およびグリップ４としては周知のものを使用する。
【００５０】
ゴルフクラブヘッド２は、図２に示すヘッド本体基部にフェース部材を接合することで作製される。ヘッド本体基部は、金属製外殻構造を有し、図２に示すように、クラウン部５と、サイド部６と、ソール部７と、フェース開口部９と、ソール開口部１０と、柱状部１１とを備える。
【００５１】
本実施例１では、ヘッド本体基部は、αβチタン合金（Ｔｉ−６Ａｌ−４Ｖ）で構成され、鋳造により成形する。その際に、柱状部１１もヘッド本体基部と一体成形する。よって、本実施例１では、柱状部１１もαβチタン合金で構成されることとなる。
【００５２】
ヘッド本体基部の内部に上記のような柱状部１１を一体成形するには、ヘッド本体基部の成形用金型内に、複数のパーツを組合わせて構成される中子を配置し、成形用金型でヘッド本体基部の外形を成形するとともに、上記中子によりヘッド本体基部の内部で柱状部１１を成形する。そして、ヘッド本体基部および柱状部１１の成形後に、フェース開口部９を通してヘッド本体基部の内部から中子を取り出す。それにより、ヘッド本体基部と柱状部１１とを一体成形することができる。なお、複数の柱状部１１をヘッド本体基部と一体成形する場合も、中子の構造を適切に選択することで、ヘッド本体基部と柱状部１１とを一体成形することができる。
【００５３】
フェース部材（フェースパーツ）も、αβチタン合金で構成され、鍛造により成形する。このフェース部材は、図２に示すフェース開口部９を閉じるようにヘッド本体基部に接合される。本実施例１では、溶接によりフェース部材をヘッド本体基部に接合する。それにより、図３に示すようにフェース部８を形成することができる。
【００５４】
図４に、図３に示す平面１５でゴルフクラブヘッド２を切断した場合の断面図を示す。この図４および図３に示すように、ソール開口部１０に錘部材１２を装着する。本実施例１では、ソール開口部１０の内周面にネジを形成しておき、タングステン合金で構成され外周面にネジを形成したビスを錘部材１２として採用し、この錘部材１２をソール開口部１０に螺着する。
【００５５】
図４に示すように、柱状部１１は、中空パイプ状であり、クラウン部５とソール部７とを接続するように形成される。本実施例１では、柱状部１１は、長さ方向の一端に拡径部を有する。該柱状部１１の厚みは１ｍｍ程度である。この柱状部１１の拡径部がソール開口部１０を規定する。ソール開口部１０は、図２に示すように柱状部１１とソール部７との接続部の直下に位置し、柱状部１１の内側の空間と、ゴルフクラブヘッド２の周囲の空間とを連通させる。
【００５６】
本願発明者が、上記のような柱状部１１を有するゴルフクラブヘッド２と、柱状部１１を設けることなくソール部７に柱状部１１と同じ質量の錘を固着したゴルフクラブヘッド２とについて、ボールを４８．８ｍ／ｓで打撃した時のフェース部８およびその周辺に発生する固有振動数を有限要素法（ＦＥＭ：Finite Element Method）を用いて計算したところ、柱状部１１を有するゴルフクラブヘッド２の固有振動数が４２９３Ｈｚであったのに対し、柱状部１１を有しないゴルフクラブヘッド２の固有振動数が４１００Ｈｚであった。この結果より、柱状部１１を設けることで、ゴルフクラブヘッド２の剛性を改善できることがわかる。
【００５７】
（実施例２）
次に、図５〜図８を用いて、本発明の実施例２について説明する。
【００５８】
図５に示すように、本実施例２では、柱状部１１を、１組の固定部１９ａ，１９ｂと、固定部１９ａ，１９ｂ間を接続する接続部材とで主に構成している。固定部１９ａ，１９ｂは、ヘッド本体の外殻からヘッド本体内に突出するように設けられている。図５の例では、固定部１９ａはソール部７と同一の材料で一体的に設けられ、筒状の形状を有する。固定部１９ｂはクラウン部５と同一の材料で一体的に設けられ、筒状の形状を有する。
【００５９】
接続部材は、本実施例２では、ＣＦＲＰ製のパイプで構成される。この接続部材は、接着剤等を用いて固定部１９ａ，１９ｂに固定することができ、錘部材１４を有する。該錘部材１４は、図５の例では、パイプ状の接続部材の内部に固着される。本実施例２では、接続部材と錘部材１４とを一体成形し、接続部材の成形の際に錘部材１４を接続部材に固着する。
【００６０】
図５に示すように、固定部１９ａは中空構造を有しており、固定部１９ａの内部空間に錘部材１２が螺着される。錘部材１２は、タングステン合金（たとえば比重１４程度）製のビスで構成されている。固定部１９ａの内部空間は、ソール部７の外側の表面（底面）に開口しているので、ヘッド本体に接続部材を装着する際に、この開口部と固定部１９ａの内部空間とを通してヘッド本体内に接続部材を挿入することができる。
【００６１】
また、図５に示すように、ソール部７の内側の表面上には、固定部１９ａからバック部（サイド部６においてフェース部８と対向する部分）側、つまりフェース部８から離れる方向に延びるリブ１３を設ける。このことも、ゴルフクラブヘッド２の剛性向上に寄与し得る。上記以外の構成については、実施例１の場合と基本的に同様である。
【００６２】
次に、図６〜図８を用いて、接続部材に装着する錘部材１４の位置を変化させた場合について説明する。
【００６３】
図６は、接続部材における高い位置（クラウン部側）に錘部材１４を設置した場合を示し、図７は、接続部材の高さ方向の中央位置に錘部材１４を設置した場合を示し、図８は、接続部材における低い位置（ソール部側）に錘部材１４を設置した場合を示している。これらの図に示す位置にタングステン合金製の錘部材１４を装着した場合の、ゴルフクラブヘッド２のスイートスポット高さ、重心深度（ゴルフクラブヘッドの重心とスイートスポットとの間の距離）、重心距離（シャフトの中心軸とゴルフクラブヘッドの重心との間の距離）、重心高さを下記の表１に示す。なお、接続部材の質量は、３ｇであり、錘部材１４の質量は、８ｇであり、ゴルフクラブヘッド２の質量は１９０ｇである。
【００６４】
【表１】
2007267777.tif 000003
【００６５】
表１に示すように、接続部材に装着する錘部材１４の位置を変化させることで、ゴルフクラブヘッド２の質量分布を変化させることができ、スイートスポット高さ、重心深度、重心距離、重心高さを調整できることがわかる。
【００６６】
たとえば、スピン量が少ないゴルファーに対しては、図６に示すように、錘部材１４を高い位置に設置することで、重心高さを高くすることができ、打球後にゴルフボールにスピンがかかり易くすることができる。他方、スピン量が多いゴルファーに対しては、図８に示すように、錘部材１４を低い位置に設置することで、重心高さを低くすることができ、打球後にゴルフボールにスピンがかかり難くすることができる。
【００６７】
（実施例３）
次に、図９〜図１４を用いて、本発明の実施例３について説明する。本実施例３では、錘部材の位置調整を行なえる位置調整機構を設けている。
【００６８】
図９に示すように、本実施例３では、柱状部１１に、複数の錘位置調整孔２１を設けている。この錘位置調整孔２１が、位置調整機構として機能する。また、実施例２の場合と同様に、ソール部７にリブ１３を設けている。これ以外の構成については実施例１の場合と基本的に同様である。
【００６９】
図１０に、柱状部１１の断面構造例を示す。図１０の例では、１組の錘位置調整孔２１が、互いに対向する位置、つまり柱状部１１の外周方向に１８０度ずれた位置に設けられている。錘位置調整孔２１の直径はたとえば２ｍｍ程度である。このような錘位置調整孔２１が、柱状部１１の高さ方向に３組設けられる。
【００７０】
図１１に示すように柱状部１１の内部に錘部材１４は移動可能に装着されるが、この錘部材１４に進退可能に後述する係合部を設ける。この係合部を錘位置調整孔２１内に挿入して柱状部１１と係合させ、錘部材１４を所定位置に保持する。
【００７１】
ここで、錘部材１４の形状例について図１２〜図１４を用いて説明する。図１２〜図１４に示すように、錘部材１４は、本体部と、１組のボール２２と、操作用凹部２３と、本体部に設けられた貫通孔２４内に設置されたコイルバネ２５とを有する。
【００７２】
錘部材１４の本体部は、略円筒状の全体形状を有し、外周面にネジ部を有する。本実施例３では、この錘部材１４本体部の外周面のネジ部と螺合可能なネジ部を柱状部１１の内周面に形成する。柱状部１１の内周面のネジ部は、少なくとも錘位置調整孔２１の近傍に設けられる。たとえば各錘位置調整孔２１の近傍に、錘部材１４の軸方向長さの半分の長さのネジ部を形成することが考えられる。
【００７３】
上記のように錘部材１４の外周面と柱状部１１の内周面とにネジ部を設けることで、錘部材１４を回転操作して柱状部１１内で移動させることができ、ボール２２を錘位置調整孔２１に嵌合することができる。なお、上記柱状部１１の内周面のネジ部は、柱状部１１の内周面に選択的に設けてもよいが、柱状部１１の内周面全体にわたって設けてもよい。
【００７４】
図１４に示すように、錘部材１４の本体部の長さ方向の中央部に貫通孔２４を設け、この貫通孔２４内にコイルバネ２５を設置する。１組のボール２２は、当該貫通孔２４の開口部上にそれぞれ配置され、コイルバネ２５によって錘部材１４の径方向に付勢される。この１組のボール２２の直径は、たとえば２．５ｍｍ〜３ｍｍ程度であり、錘位置調整孔２１の直径よりも大きくする。上記のボール２２の大きさは、ボール２２の一部が柱状部１１に設けた錘位置調整孔２１に嵌合可能な大きさとすればよい。
【００７５】
錘部材１４の操作用凹部２３は、錘部材１４の一方の軸方向端面に設ける。本実施例３では、操作用凹部２３として直線状の凹部を形成する。それにより、マイナスドライバ等の治具で錘部材１４を回転操作することができる。
【００７６】
本実施例３におけるゴルフクラブヘッド２において、錘部材１４を柱状部１１に装着するには、柱状部１１の一方の開口端から錘部材１４を柱状部１１の内部に挿入し、マイナスドライバ等の治具で錘部材１４を回転操作する等して、柱状部１１に沿って錘部材１４を移動させる。柱状部１１内で錘部材１４が移動し、錘部材１４の１組のボール２２が錘位置調整孔２１に達すると、この１組のボール２２がコイルバネ２５の付勢力によって錘部材１４の径方向外方に移動し、ボール２２を錘位置調整孔２１に嵌合させることができる。それにより、ボール２２を柱状部１１と係合させることができ、ボール２２を介して錘部材１４を柱状部１１に保持することができる。この状態から錘部材１４をさらに移動させるには、錘部材１４を回転操作および／または柱状部１１の長さ方向に押圧すればよい。それにより、ボール２２をコイルバネ２５の付勢力に抗して錘部材１４側に後退させながら柱状部１１内で錘部材１４を移動させることができ、ボール２２と柱状部１１との係合状態を解除することができる。
【００７７】
（実施例４）
次に、図１５〜図１８を用いて、本発明の実施例４について説明する。
【００７８】
本実施例４では、複数の柱状部を設ける。図１５の例では、異なる方向に延びる２本の柱状部１１ａ，１１ｂを設けている。この柱状部１１ａ，１１ｂは、クラウン部５とサイド部６とを接続し、フェース部８からバック部に向かう方向に延在し、ヘッド本体基部と一体成形される。より詳しくは、柱状部１１ａ，１１ｂの一端（上端）は、クラウン部５においてフェース部側に位置するフェース側部分と接続され、柱状部１１ａ，１１ｂの他端（下端）は、サイド部６においてバック部側に位置するバック側部分と接続される。ヘッド本体基部と柱状部１１ａ，１１ｂとは、ともにαβチタン合金で構成される。
【００７９】
図１６に示すように、柱状部１１ａ，１１ｂとサイド部６との接続部には、サイド開口部１７，１８を設ける。他方、柱状部１１ａ，１１ｂとクラウン部５との接続部には開口部は設けない。上記のサイド開口部１７，１８には、図１８に示すように、タングステン合金製のビスで構成される錘部材１２ａ，１２ｂをそれぞれ螺着し、錘部材１２ａ，１２ｂでサイド開口部１７，１８を閉じるようにする。なお、図１８は、図１７に示す平面１６でゴルフクラブヘッド２を切断した断面図である。上記以外の構成については、実施例１の場合と基本的に同様である。
【００８０】
本願発明者が、上記のような柱状部部１１ａ，１１ｂを有するゴルフクラブヘッド２と、柱状部部１１ａ，１１ｂを設けることなくソール部７に柱状部１１ａ，１１ｂと同じ質量の錘を固着したゴルフクラブヘッド２とについて、ボールを４８．８ｍ／ｓで打撃した時のフェース部８およびその周辺に発生する固有振動数を有限要素法を用いて計算したところ、柱状部１１ａ，１１ｂを有するゴルフクラブヘッド２の固有振動数が４２９９Ｈｚであったのに対し、部１１ａ，１１ｂを有しないゴルフクラブヘッド２の固有振動数が４１００Ｈｚであった。この結果より、柱状部部１１ａ，１１ｂを設けることで、ゴルフクラブヘッド２の剛性を改善できることがわかる。
【００８１】
（実施例５）
次に、図１９〜図２７を用いて、本発明の実施例５について説明する。
【００８２】
本実施例５でも、複数の柱状部を設ける。図２０および図２１に示すように、本実施例５においても、異なる方向に延びる２本の柱状部１１ａ，１１ｂを設けている。この柱状部１１ａ，１１ｂは、クラウン部５とサイド部６とを接続し、実施例４の場合と同様に、フェース部８からバック部に向かう方向に延在する。
【００８３】
また、本実施例５では、２組の固定部１９ａ，１９ｂ，２０ａ，２０ｂを、ヘッド本体基部と一体成形し、この固定部１９ａ，１９ｂ間と、固定部２０ａ，２０ｂ間を接続するように接続部材を装着する。接続部材は、ＣＦＲＰ製のパイプで構成する。この接続部材は、接着剤等を用いて固定部１９ａ，１９ｂ間と、固定部２０ａ，２０ｂ間とに設置することができる。ヘッド本体基部と固定部１９ａ，１９ｂ，２０ａ，２０ｂとは、ともにαβチタン合金で構成される。
【００８４】
図１９および図２１に示すように、本実施例５においても、各柱状部とサイド部６との接続部には、それぞれサイド開口部１７，１８を設けるが、各柱状部とクラウン部５との接続部には開口部は設けない。上記のサイド開口部１７，１８には、図２２に示すように、タングステン合金製のビスで構成される錘部材１２ａ，１２ｂをそれぞれ螺着し、錘部材１２ａ，１２ｂでサイド開口部１７，１８を閉じるようにする。なお、図２２は、図２１に示す平面２８でゴルフクラブヘッド２を切断した断面図である。上記以外の構成については、実施例２の場合と基本的に同様である。
【００８５】
次に、図２３〜図２７を用いて、接続部材に装着する錘部材１４ａ，１４ｂの位置を変化させた場合について説明する。
【００８６】
図２３は、接続部材における高い位置（クラウン部側）に双方の錘部材１４ａ，１４ｂを設置した場合を示し、図２４は、接続部材の高さ方向の中央位置に双方の錘部材１４ａ，１４ｂを設置した場合を示し、図２５は、接続部材における低い位置に双方の錘部材１４ａ，１４ｂを設置した場合を示し、図２６は、接続部材における高い位置に錘部材１４ａを設置し、接続部材における低い位置（ソール部側）に錘部材１４ｂを設置した場合を示し、図２７は、接続部材における高い位置に錘部材１４ｂを設置し、接続部材における低い位置に錘部材１４ａを設置した場合を示している。
【００８７】
これらの図に示す位置にタングステン合金製の錘部材１４を装着した場合の、ゴルフクラブヘッド２のスイートスポット高さ、重心深度、重心距離、重心高さ、トゥ・ヒール方向慣性モーメント、上下方向（クラウン・ソール方向）慣性モーメントを下記の表２に示す。なお、トウ側の接続部材１１ａの質量は２ｇ、ヒール側の接続部材１１ｂの質量は１．８ｇであり、トウ側の錘部材１４ａの質量とヒール側の錘部材１４ｂの質量は共に４ｇであり、ゴルフクラブヘッド２の質量は１９４ｇである。
【００８８】
【表２】
2007267777.tif 000004
【００８９】
表２に示すように、接続部材に装着する錘部材１４ａ，１４ｂの位置を変化させることで、ゴルフクラブヘッド２のスイートスポット高さ、重心深度、重心距離、重心高さ、トゥ・ヒール方向慣性モーメント、上下方向慣性モーメントを調整できることがわかる。
【００９０】
たとえば、弾道が低めのゴルファーに対しては、図２５に示すように、錘部材１４ａ，１４ｂを共に低い位置に設置することで、重心深度を深くすることができ、インパクト時にゴルフクラブヘッド２のロフトがいわゆる寝た状態（フェース部が上方を向く状態）にすることができる。他方、弾道が高めのゴルファーに対しては、図２３に示すように、錘部材１４ａ，１４ｂを共に高い位置に設置することで、重心深度を浅くすることができ、インパクト時にゴルフクラブヘッド２のロフトがいわゆる寝た状態となるのを抑制することができる。
【００９１】
また、スピン量が少ないゴルファーに対しては、図２３に示すように、錘部材１４ａ，１４ｂを共に高い位置に設置することで、重心高さを高くすることができ、打球後にゴルフボールにスピンがかかり易くすることができる。他方、スピン量が多いゴルファーに対しては、図２５に示すように、錘部材１４ａ，１４ｂを共に低い位置に設置することで、重心高さを低くすることができ、打球後にゴルフボールにスピンがかかり難くすることができる。
【００９２】
（実施例６）
次に、図２８〜図２９を用いて、本発明の実施例６について説明する。
【００９３】
本実施例６では、図２８および図２９に示すように、クラウン部５にクラウン開口部２６を設け、該クラウン開口部２６を閉じるようにクラウン部材（クラウンパーツ）２９を装着する。クラウン部材２９としては、チタン合金（たとえばＴｉ−１５Ｖ−３Ａｌ−３Ｃｒ−３ＳｎやＫＳ１２０）製の板材であって０．９ｍｍの厚みの鍛造材を使用可能である。なお、クラウン部材２９として、チタン合金（たとえばＴｉ−６Ａｌ−４Ｖ）製の鋳造パーツや、マグネシウム合金を採用することもできる。クラウン部材２９は、溶接、ロウ付け、接着剤等によりヘッド本体基部に固着することができる。これ以外の構成は、実施例４と同様である。
【００９４】
本実施例６では、ヘッド本体基部にフェース開口部９とクラウン開口部２６との双方を設けているので、鋳造で柱状部１１ａ，１１ｂをヘッド本体基部と一体成形した場合に、柱状部１１ａ，１１ｂの成形用の中子をヘッド本体基部から取り出し易くなる。
【００９５】
（実施例７）
次に、図３０を用いて、本発明の実施例７について説明する。
【００９６】
本実施例７では、柱状部１１ａ，１１ｂの延在方向を実施例４とは異ならせている。より詳しくは、図３０に示すように、柱状部１１ａ，１１ｂの一端を、ソール部７においてバック部側に位置するバック側部分と接続し、柱状部１１ａ，１１ｂの他端を、クラウン部５においてフェース部８側に位置するフェース側部分と接続している。それ以外の構成については、実施例４と基本的に同様である。なお、図３０に示すフェース部材（フェースパーツ）３０は、ヘッド本体基部に設けたフェース開口部９を閉じるようにヘッド本体基部に接合される。
【００９７】
本実施例７のように、柱状部１１ａ，１１ｂの延在方向を変化させることで、ゴルフクラブヘッド２の質量分布を変化させることができ、ヘッドの重心位置等の各種パラメータを調整することができる。また、柱状部の数や形状、該柱状部に装着する錘部材の質量や装着位置等を適切に調節することで、ヘッドの重心位置等の各種パラメータを様々に変化させることも可能である。
【００９８】
（実施例８）
次に、図３１および図３２を用いて、本発明の実施例８について説明する。
【００９９】
本実施例８では、柱状部に分岐部を設ける。図３１の例では、柱状部１１ａから分岐するように柱状部１１ｂを設けている。柱状部１１ａは、クラウン部５とソール部７とを接続し、この柱状部１１ａの高さ方向の中央部から柱状部１１ｂを分岐させている。柱状部１１ｂは、柱状部１１ａからサイド部６におけるバック部に向かって延在し、柱状部１１ｂの一端は、サイド部６におけるバック部と接続される。柱状部１１ａとソール部７との接続部にはソール開口部を設け、該ソール開口部に錘部材１２ａを装着する。柱状部１１ｂと、サイド部６におけるバック部との接続部には、図３２に示すようにサイド開口部１８を設け、該サイド開口部１８には錘部材１２ｂを装着する。上記以外の構成については、実施例４と基本的に同様である。
【０１００】
本実施例８のように柱状部に分岐部を設けることにより、ゴルフクラブヘッド２の質量分布を変化させることができ、ヘッドの重心位置等の各種パラメータを調整することができる。また、分岐部の数や延在方向、柱状部や分岐部に装着する錘部材の質量や装着位置等を適切に調節することで、ヘッドの重心位置等の各種パラメータを様々に変化させることも可能である。
【０１０１】
（実施例９）
次に、図３３および図３４を用いて、本発明の実施例９について説明する。
【０１０２】
本実施例９では、柱状部の形状の変形例について説明する。上述の各実施例では、柱状部は中空パイプ形状であったが、図３３に示すように横断面形状が略Ｕ字状の部材や、図３４に示すように横断面形状が略Ｖ字状の部材で、柱状部１１を構成することも考えられる。つまり、柱状部１１の内側の凹状空間２７を、柱状部１１の周囲の空間と連通させるようにしてもよい。これ以外の構成については、上述の各実施例の場合と同様である。
【０１０３】
以上のように本発明の実施の形態および実施例について説明を行なったが、上述の実施の形態および実施例の構成を適宜組合わせることも当初から予定している。また、上述の実施の形態および実施例中の構成は全てが必須というものでもない。さらに、今回開示した実施の形態および実施例はすべての点での例示であって制限的なものではないと考えられるべきである。本発明の範囲は特許請求の範囲によって示され、特許請求の範囲と均等の意味および範囲内でのすべての変更が含まれる。
【図面の簡単な説明】
【０１０４】
【図１】本発明の実施例１におけるゴルフクラブの斜視図である。
【図２】本発明の実施例１におけるゴルフクラブヘッドのヘッド本体基部を示す斜視図である。
【図３】本発明の実施例１におけるゴルフクラブヘッドの斜視図である。
【図４】本発明の実施例１におけるゴルフクラブヘッドの部分断面斜視図である。
【図５】本発明の実施例２におけるゴルフクラブヘッドの部分断面斜視図である。
【図６】錘部材の装着位置の一例を示す断面図である。
【図７】錘部材の装着位置の他の例を示す断面図である。
【図８】錘部材の装着位置のさらに他の例を示す断面図である。
【図９】本発明の実施例３におけるゴルフクラブヘッドのヘッド本体基部を示す部分断面斜視図である。
【図１０】柱状部の形状例を示す断面図である。
【図１１】本発明の実施例３におけるゴルフクラブヘッドのヘッド本体基部を示す部分断面図である。
【図１２】錘部材の形状例を示す側面図である。
【図１３】錘部材の形状例を示す平面図である。
【図１４】図１３のＸＩＶ−ＸＩＶ線に沿う断面図である。
【図１５】本発明の実施例４におけるゴルフクラブヘッドのヘッド本体基部を示す正面図である。
【図１６】本発明の実施例４におけるゴルフクラブヘッドのヘッド本体基部を示す背面図である。
【図１７】本発明の実施例４におけるゴルフクラブヘッドの側面図である。
【図１８】本発明の実施例４におけるゴルフクラブヘッドの断面図である。
【図１９】本発明の実施例５におけるゴルフクラブヘッドのヘッド本体基部を示す斜視図であり、接続部材を省略した状態を示す図である。
【図２０】本発明の実施例５におけるゴルフクラブヘッドのヘッド本体基部を示す正面図であり、接続部材を装着した状態を示す図である。
【図２１】本発明の実施例５におけるゴルフクラブヘッドのヘッド本体基部の側面図である。
【図２２】本発明の実施例５におけるゴルフクラブヘッドの断面図である。
【図２３】柱状部を複数設けた場合の錘部材の装着位置の一例を示す断面図である。
【図２４】柱状部を複数設けた場合の錘部材の装着位置の他の例を示す断面図である。
【図２５】柱状部を複数設けた場合の錘部材の装着位置のさらに他の例を示す断面図である。
【図２６】柱状部を複数設けた場合の錘部材の装着位置のさらに他の例を示す断面図である。
【図２７】柱状部を複数設けた場合の錘部材の装着位置のさらに他の例を示す断面図である。
【図２８】本発明の実施例６におけるゴルフクラブヘッドのヘッド本体基部とクラウン部材とを示す斜視図である。
【図２９】本発明の実施例６におけるゴルフクラブヘッドのヘッド本体基部とクラウン部材とを示す斜視図である。
【図３０】本発明の実施例７におけるゴルフクラブヘッドのヘッド本体基部とフェース部材とを示す斜視図である。
【図３１】本発明の実施例８におけるゴルフクラブヘッドのヘッド本体基部とフェース部材とをフェース部側から見た斜視図である。
【図３２】本発明の実施例８におけるゴルフクラブヘッドのヘッド本体基部とフェース部材とをバック部側から見た斜視図である。
【図３３】柱状部の他の形状例を示す斜視図である。
【図３４】柱状部のさらに他の形状例を示す斜視図である。
【符号の説明】
【０１０５】
１  ゴルフクラブ、２  ゴルフクラブヘッド、３  シャフト、４  グリップ、５  クラウン部、６  サイド部、７  ソール部、８  フェース部、９  フェース開口部、１０  ソール開口部、１１，１１ａ，１１ｂ  柱状部、１２，１２ａ，１２ｂ，１４，１４ａ，１４ｂ  錘部材、１３  リブ、１５，１６，２８  平面、１７，１８  サイド開口部、１９ａ，１９ｂ，２０ａ，２０ｂ  固定部、２１  錘位置調整孔、２２  ボール、２３  操作用凹部、２４  貫通孔、２５  コイルバネ、２６  クラウン開口部、２７  凹状空間、２９  クラウン部材、３０  フェース部材。
【図１】
2007267777.tif 000005
【図２】
2007267777.tif 000006
【図３】
2007267777.tif 000007
【図４】
2007267777.tif 000008
【図５】
2007267777.tif 000009
【図６】
2007267777.tif 000010
【図７】
2007267777.tif 000011
【図８】
2007267777.tif 000012
【図９】
2007267777.tif 000013
【図１０】
2007267777.tif 000014
【図１１】
2007267777.tif 000015
【図１２】
2007267777.tif 000016
【図１３】
2007267777.tif 000017
【図１４】
2007267777.tif 000018
【図１５】
2007267777.tif 000019
【図１６】
2007267777.tif 000020
【図１７】
2007267777.tif 000021
【図１８】
2007267777.tif 000022
【図１９】
2007267777.tif 000023
【図２０】
2007267777.tif 000024
【図２１】
2007267777.tif 000025
【図２２】
2007267777.tif 000026
【図２３】
2007267777.tif 000027
【図２４】
2007267777.tif 000028
【図２５】
2007267777.tif 000029
【図２６】
2007267777.tif 000030
【図２７】
2007267777.tif 000031
【図２８】
2007267777.tif 000032
【図２９】
2007267777.tif 000033
【図３０】
2007267777.tif 000034
【図３１】
2007267777.tif 000035
【図３２】
2007267777.tif 000036
【図３３】
2007267777.tif 000037
【図３４】
2007267777.tif 000038